(57)【要約】【課題】設置場所の省スペース化が可能な雨水貯留浸透施設を提供する。【解決手段】地中に埋設されて道路の表面から流下した雨水を前記地中に浸透させる雨水貯留浸透槽を備えた雨水貯留浸透施設であって、街渠Ｇの下に雨水貯留浸透槽６が設けられ、前記雨水を一時的に貯留してから雨水貯留浸透槽６に供給する流入マス２が雨水貯留浸透槽６の延在するＤ方向に設けられていることを特徴とする。なお、流入マス２と、雨水貯留浸透槽６の内部を観察可能な点検孔８とが雨水貯留浸透槽６の延在するＤ方向に設けられていることが好ましい。【選択図】図１
2014196650.tif 000002
【特許請求の範囲】
【請求項１】
地中に埋設されて道路の表面から流下した雨水を前記地中に浸透させる雨水貯留浸透槽を備えた雨水貯留浸透施設であって、
街渠下に前記雨水貯留浸透槽が設けられ、
前記雨水を一時的に貯留してから前記雨水貯留浸透槽に供給する流入マスが前記雨水貯留浸透槽の延在する方向に設けられていることを特徴とする雨水貯留浸透施設。
【請求項２】
前記流入マスと、前記雨水貯留浸透槽の内部を観察可能な点検孔とが前記雨水貯留浸透槽の延在する方向に配列されていることを特徴とする請求項１に記載の雨水貯留浸透施設。
【請求項３】
前記流入マスの内部に、前記点検孔の一部が設けられていることを特徴とする請求項２に記載の雨水貯留浸透施設。
【請求項４】
前記流入マスと前記雨水貯留浸透槽とを接続する流入管が前記雨水貯留浸透槽の側面から接続されていることを特徴とする請求項２又は３に記載の雨水貯留浸透施設。
【請求項５】
前記雨水貯留浸透槽を構成する枠部材がプラスチックからなることを特徴とする請求項１〜４のうち何れか一項に記載の雨水貯留浸透施設。
【発明の詳細な説明】
【技術分野】
【０００１】
本発明は、雨水貯留浸透施設に関する。
【背景技術】
【０００２】
一般に、道路の路肩下方には、雨水を一時的に貯留した後、外部に放出して地中に緩やかに浸透させるための雨水貯留浸透施設が埋設されている。例えば、特許文献１には、Ｌ型側溝やＵ字溝等の街渠に集められた雨水を、地層を挟んでその下方に流入させ、空隙部材と、貯留槽の外周層を構成する透水性シートと、を備えた雨水浸透貯留槽に一時的に貯留した後に、徐々に地中に放出して浸透させる雨水貯留浸透施設が開示されている。
【０００３】
ところが、特許文献１に開示されている雨水貯留浸透施設では、街渠と雨水浸透貯留槽との間に地層を挟むので、時間当たりの雨水の流入量が少なく、ゲリラ豪雨のように強い雨が降ったときには、雨水貯留浸透施設に素早く雨水を流入させることができなかった。また、このような雨水貯留浸透施設では、雨水に含まれる土砂が施設内に堆積することによる雨水の貯留容量の減少や、目詰まりによる浸透能力の低下を未然に防ぐために施設内部を点検可能な構造が設けられていなかった。
【０００４】
上記のような状況を改善する雨水貯留浸透施設として、図５に示す雨水貯留浸透施設１００が知られている。図５は、雨水貯留浸透施設１００を示す図であって、（ａ）は正面図であり、（ｂ）は平面図であり、（ｃ）は側面図である。図５（ａ）〜（ｃ）に示すように、雨水貯留浸透施設１００は、道路Ｒの街渠Ｇから流下した雨水を収集する流入マス１０２と、枠部材１０４が複数隣接配置された上方に複数積層されることで枠部材１０４の内部空間に雨水を一時的に貯留すると共に下段の枠部材１０４から貯留された雨水を地中に放出する雨水浸透貯留槽１０６と、雨水浸透貯留槽１０６の内部を点検する点検孔１０８と、を備えている。流入マス１０２は、流入管１１０を介して雨水浸透貯留槽１０６の上部に接続されており、接続のし易さから、平面視において街渠の延在する方向の側方、即ち、図５（ｂ）に示すように雨水浸透貯留槽１０６の延在するＤ´方向の側方に設けられている。
【先行技術文献】
【特許文献】
【０００５】
【特許文献１】特開２００８−１６３６３７号公報
【発明の概要】
【発明が解決しようとする課題】
【０００６】
しかしながら、図５に示す雨水貯留浸透施設１００では、流入マス１０２が雨水浸透貯留槽１０６の延在するＤ´方向の側方に設けられているため、道路Ｒの幅方向に設置スペースを広く確保する必要があり、街中や道路際の幅寸法の狭い場所において設置が困難である問題があった。
【０００７】
本発明は、上記事情を鑑みてなされたものであり、設置場所の省スペース化が可能な雨水貯留浸透施設の提供を課題とする。
【課題を解決するための手段】
【０００８】
本発明の雨水貯留浸透施設は、地中に埋設されて道路の表面から流下した雨水を前記地中に浸透させる雨水貯留浸透槽を備えた雨水貯留浸透施設であって、街渠下に前記雨水貯留浸透槽が設けられ、前記雨水を一時的に貯留してから前記雨水貯留浸透槽に供給する流入マスが前記雨水貯留浸透槽の延在する方向に設けられていることを特徴とする。
本発明の雨水貯留浸透施設では、前記流入マスと、前記雨水貯留浸透槽の内部を観察可能な点検孔とが前記雨水貯留浸透槽の延在する方向に配列されていてもよい。
また、本発明の雨水貯留浸透施設では、前記流入マスの内部に、前記点検孔の一部が設けられていてもよい。
また、本発明の雨水貯留浸透施設では、前記流入マスと前記雨水貯留浸透槽とを接続する流入管が前記雨水貯留浸透槽の側面から接続されていてもよい。
本発明の雨水貯留浸透施設では、前記雨水貯留浸透槽を構成する枠部材がプラスチックからなることが好ましい。
【発明の効果】
【０００９】
本発明によれば、流入マスが雨水貯留浸透槽の延在する方向に設けられているため、設置場所の省スペース化が可能な雨水貯留浸透施設が提供される。
【図面の簡単な説明】
【００１０】
【図１】本発明の第一実施形態である雨水貯留浸透施設を示す図であって、（ａ）は正面図であり、（ｂ）は平面図であり、（ｃ）は側面図である。
【図２】本発明の第二実施形態である雨水貯留浸透施設を示す図であって、（ａ）は正面図であり、（ｂ）は平面図であり、（ｃ）は側面図である。
【図３】本発明の第三実施形態である雨水貯留浸透施設を示す図であって、（ａ）は正面図であり、（ｂ）は平面図であり、（ｃ）は側面図である。
【図４】本発明の第四実施形態である雨水貯留浸透施設を示す図であって、（ａ）は正面図であり、（ｂ）は平面図であり、（ｃ）は側面図である。
【図５】従来の雨水貯留浸透施設を示す図であって、（ａ）は正面図であり、（ｂ）は平面図であり、（ｃ）は側面図である。
【発明を実施するための形態】
【００１１】
以下、本発明の実施形態である雨水貯留浸透施設について、図面を参照して説明する。なお、以下の説明で用いる図面は模式的なものであり、長さ、幅、及び厚みの比率等は実際のものと同一とは限らず、適宜変更することができる。
【００１２】
（第一実施形態）
図１は、本発明の第一実施形態である雨水貯留浸透施設１を示す図であって、（ａ）は正面図であり、（ｂ）は平面図であり、（ｃ）は側面図である。なお、図１（ｂ）においては、街渠Ｇの図示を省略する。
図１に示すように、雨水貯留浸透施設１は、流入マス２と、雨水貯留浸透槽６と、点検孔８と、を備えている。
【００１３】
流入マス２は、道路Ｒに設けられた街渠Ｇから流下した雨水を収集するための部材であり、図１（ａ）〜（ｃ）に示すように、街渠Ｇ下方の地中に埋設されている雨水貯留浸透槽６の延在するＤ方向に設けられている。また、流入マス２は、雨水貯留浸透槽６の幅寸法内に設けられていることが好ましい。
【００１４】
本実施形態の雨水貯留浸透施設１における流入マス２は、雨水貯留浸透槽６の延在するＤ方向に配列された第一流入マス１４と、第二流入マス１５によって構成されている。第一流入マス１４は、蓋１６ｂと、フィルタ１７と、雨水収容部１８と、フィルタ１９と、を備えている。蓋１６ａは、開孔している部分がないか、少なくなっており、街渠Ｇに集められた雨水は蓋１６ａ上部を流れる。蓋１６ｂは、平面視で網状に形成されており、街渠Ｇに集められた雨水を流入マス内に流下可能とされている。フィルタ１７は、流下した雨水を濾過して該雨水中からゴミや塵を取り除くためのものであり、例えばプラスチック製や、ステンレス製のザルで構成されている。雨水収容部１８は、街渠Ｇから蓋１６ｂ及びフィルタ１７を通って流下した雨水を一時的に滞留させ土砂等を大まかに沈降、分離するためのものであり、例えばコンクリート等からなるマスで構成されている。フィルタ１９は、雨水収容部１８の雨水からより細かいゴミや塵を取り除くためのものであり、第一流入マス１４と第二流入マス１５との連結管２０の第一流入マス１４側に設けられている。フィルタ１９は、例えばフィルタ１７よりも小さい多数の通水孔を有するステンレス製の網で構成されている。
【００１５】
第二流入マス１５は、連結管２０によって第一流入マス１４に連結されており、第一流入マス１４から流入した雨水を一時的に貯留して雨水貯留浸透槽６の上部に供給するためのものであり、蓋１６ｂ及びフィルタ１７を除く第一流入マス１４の構成要素と同一の構成要素を備えている。
【００１６】
第二流入マス１５と雨水貯留浸透槽６は、流入管１０によって連結されている。具体的には、流入管１０の一端が第二流入マス１５の底部に接続されており、流入管１０の他端が雨水貯留浸透槽６の側面６ｂ上部に設けられた受口１１に接続されている。また、図１（ａ）に示すように、流入管１０は第二流入マス１５側から雨水貯留浸透槽６側に進行するにつれて街渠Ｇから離れる方向に下降して設けられている。これにより、第二流入マス１５に一時的に貯留された雨水が円滑に雨水貯留浸透槽６に供給される。
【００１７】
雨水貯留浸透槽６は、流入マス２から流入した雨水を、上段から下段へ流下させながら一時的に貯留すると共に、下段から地中に放出するためのものであり、例えば射出成形や、押出成形によって形成されるポリプロピレン等のプラスチックからなる枠部材で構成されている。具体的には、雨水貯留浸透槽６は、下方へ雨水を流下可能なプラスチック製の下部組付部材２１（枠部材）及び上部組付部材２２（枠部材）によって構成され、下部組付部材２１が複数隣接配置された上方に、鉛直方向に上部組付部材２２が複数段積載されることで、地中に複数の内部空間からなる雨水の一時的な貯留空間を形成している。雨水貯留浸透槽６の下方、即ち下部組付部材２１の直下には、砕石層２４が設けられており、雨水貯留浸透槽６から放出された雨水が雨水貯留浸透槽６外方の地中へ徐々に浸透するようになっている。
【００１８】
点検孔８は、雨水貯留浸透槽６の内部を点検するためのものであり、地上付近から雨水浸透貯留槽１０６の側面に達するように、雨水貯留浸透槽６の延在するＤ方向に設けられた孔部である。具体的には、点検孔８は、ポリ塩化ビニル等の合成樹脂からなる管材２６の内部空間で構成されており、管材２６の一端２６ａは地上付近に配置されており、一端２６ａから雨水貯留浸透槽６の下部付近まで下降した後に屈曲してなる管材２６の他端２６ｂが最下段の上部組付部材２２、即ち雨水貯留浸透槽６の側面６ｂの下部に設けられた受口２８に接続されている。管材２６が点検孔８に小型カメラ等が侵入可能なある程度の内径を有している。管材２６の屈曲部２６ｃには誘導部２７が傾斜して設置されており、一端２６ａから雨水貯留浸透槽６の下部を観察する場合に、小型カメラ等を容易に誘導可能とされている。また、点検孔８に棒の先端にミラーを設置した点検用ミラー等を挿入することが可能であり、点検用ミラー等での点検も可能である。
【００１９】
本実施形態の雨水貯留浸透施設１における点検孔８は、雨水貯留浸透槽６の延在するＤ方向に設けられ、側面６ｂ，６ｃに設置された点検孔８Ａ，８Ｂにより構成されている。点検孔８のうち流入マス２側の点検孔８Ａは、第二流入マス１５と平面視で重なって配置されており、具体的には点検孔８Ａの上部が第二流入マス１５の内部に設けられている。このような構成により、流下した雨水に含まれる土砂等が雨水貯留浸透槽６に堆積しているか否かについて、側面６ｂ，６ｃの両側から容易に点検され、土砂等の堆積による雨水の貯留容量の減少や、目詰まりによる浸透能力の低下が未然に防止される。なお、点検孔８Ａ，８Ｂにゴミ等が侵入しないように、点検時以外は管材２６の一端２６ａが封止されている。
【００２０】
以上説明したように、本実施形態の雨水貯留浸透施設１によれば、流入マス２が街渠下の地中に埋設された雨水貯留浸透槽６の延在するＤ方向に設けられているため、従来のように流入マスが雨水浸透貯留槽の延在する方向の側方に配置されている場合に比べて雨水貯留浸透施設１全体の幅寸法が縮小され、設置場所の省スペース化を図ることができる。従って、街中や道路際の幅寸法の狭い場所にも雨水貯留浸透施設１を設置することができる。
【００２１】
また、本実施形態の雨水貯留浸透施設１では、流入マス２に加えて点検孔８が雨水貯留浸透槽６の延在するＤ方向に設けられているため、雨水貯留浸透施設１の内部が点検可能であり、且つ、全体の幅寸法が縮小され、設置場所の省スペース化を図ることができる。
また、本実施形態の雨水貯留浸透施設１では、点検孔８Ａの上部が流入マス２を構成する第二流入マス１５の内部に設けられているため、雨水貯留浸透施設１の長手寸法を縮小して設置場所の一層の省スペース化を図ることができる。
【００２２】
更に、本実施形態の雨水貯留浸透施設１では、第二流入マス１５と雨水貯留浸透槽６との間の流入管１０が雨水貯留浸透槽６の側面６ｂから接続されているため、街渠Ｇと雨水貯留浸透槽６との間に雨水貯留浸透施設１の構成要素がなく、街渠Ｇと雨水貯留浸透槽６との間の深さ寸法を必要最小限まで縮小することができる。これにより、雨水貯留浸透施設１を街渠Ｇから地中浅く埋設することができ、設置場所のより一層の省スペース化を図ることができる。
【００２３】
（第二実施形態）
図２は、本発明の第二実施形態である雨水貯留浸透施設５０を示す図であって、（ａ）は正面図であり、（ｂ）は平面図であり、（ｃ）は側面図である。なお、図２に示す本実施形態の雨水貯留浸透施設５０の構成要素において、図１に示す第一実施形態の雨水貯留浸透施設１の構成要素と同一の構成要素については、同一の符号を付し、その説明を省略する。
【００２４】
図２（ａ）〜（ｃ）に示すように、本実施形態の雨水貯留浸透施設５０では、流入マス２が第一流入マス１４のみで構成され、第一流入マス１４のフィルタ１７より下方の雨水収容部１８には先端にフィルタ１９が備え付けられた流入管１０の一端が接続されている。流入管１０の他端は、雨水貯留浸透槽６の上面６ａに接続されている。これにより、雨水貯留浸透槽６の上部に貯留した空気が、流入管１０を通して、第一流入マス１４から地上に抜き出される。なお、街渠Ｇと雨水貯留浸透槽６との間に流入管１０が介在し、街渠Ｇと流入管１０との深さ寸法、所謂土かぶりの確保が望まれるため、雨水貯留浸透施設５０の設置場所においては街渠Ｇと雨水貯留浸透槽６との間の深さ寸法が充分に確保されていることが好ましい。
【００２５】
また、本実施形態の雨水貯留浸透施設５０では、点検孔８のうち流入マス２側の点検孔８Ａが第一流入マス１４と平面視で重なって配置されており、具体的には点検孔８Ａの上部が第一流入マス１４内部のフィルタ１７より下方に設けられている。
【００２６】
以上説明したように、本実施形態の雨水貯留浸透施設５０によれば、流入マス２及び点検孔８が街渠下の地中に埋設された雨水貯留浸透槽６の延在するＤ方向に設けられているため、第一実施形態の雨水貯留浸透施設１と同様に、設置場所の一層の省スペース化を図ることができる。また、流入マス２が第一流入マス１４のみで構成され、流入管１０の他端が雨水貯留浸透槽６の上面６ａに接続され、且つ、点検孔８Ａの上部が第一流入マス１４の内部に設けられているため、雨水貯留浸透施設５０の長手寸法をより一層縮小して設置場所の省スペース化を図ることができる。更に、雨水貯留浸透槽６の上部に貯留した空気を流入管１０及び第一流入マス１４を介し、地上に向けて簡易に抜き出すことができる。
【００２７】
（第三実施形態）
図３は、本発明の第三実施形態である雨水貯留浸透施設６０を示す図であって、（ａ）は正面図であり、（ｂ）は平面図であり、（ｃ）は側面図である。なお、図３に示す本実施形態の雨水貯留浸透施設６０の構成要素において、図１に示す第一実施形態の雨水貯留浸透施設１の構成要素と同一の構成要素については、同一の符号を付し、その説明を省略する。
【００２８】
図３（ａ）〜（ｃ）に示すように、本実施形態の雨水貯留浸透施設６０では、流入管１０の一端が第二流入マス１５の底部に接続されており、流入管１０の他端が雨水貯留浸透槽６の上面６ａに接続されている。これにより、雨水貯留浸透槽６の上部に貯留した空気が、流入管１０を通して、第二流入マス１５若しくは第一流入マス１４から地上に抜き出される。なお、図２（ａ）〜（ｃ）に示す第二実施形態の雨水貯留浸透施設５０と同様に、街渠Ｇと雨水貯留浸透槽６との間に流入管１０が介在し、街渠Ｇと流入管１０との深さ寸法、所謂土かぶりの確保が望まれる。そのため、図３（ａ）〜（ｃ）に示す雨水貯留浸透施設６０の設置場所においては街渠Ｇと雨水貯留浸透槽６との間の深さ寸法が充分に確保されていることが好ましい。
【００２９】
以上説明したように、本実施形態の雨水貯留浸透施設６０によれば、流入マス２及び点検孔８が街渠下の地中に埋設された雨水貯留浸透槽６の延在するＤ方向に設けられているため、第一実施形態の雨水貯留浸透施設１と同様に、設置場所の一層の省スペース化を図ることができる。また、流入管１０の他端が雨水貯留浸透槽６の上面６ａに接続されているため、雨水貯留浸透槽６の上部に貯留した空気を流入管１０、第二流入マス１５若しくは第一流入マス１４を介し、地上に向けて簡易に抜き出すことができる。
【００３０】
（第四実施形態）
図４は、本発明の第四実施形態である雨水貯留浸透施設７０を示す図であって、（ａ）は正面図であり、（ｂ）は平面図であり、（ｃ）は側面図である。なお、図４に示す本実施形態の雨水貯留浸透施設７０の構成要素において、図１に示す第一実施形態の雨水貯留浸透施設１の構成要素と同一の構成要素については、同一の符号を付し、その説明を省略する。
【００３１】
図４（ａ）〜（ｃ）に示すように、本実施形態の雨水貯留浸透施設７０では、図２（ａ）〜（ｃ）に示す第二実施形態の雨水貯留浸透施設５０と同様に、流入マス２が第一流入マス１４のみで構成され、第一流入マス１４のフィルタ１７より下方の雨水収容部１８には先端にフィルタ１９が備え付けられた流入管１０の一端が接続されている。流入管１０の他端は、雨水貯留浸透槽６の上面６ａに接続されている。これにより、雨水貯留浸透槽６の上部に貯留した空気が、流入管１０を通して、第一流入マス１４から地上に抜き出される。なお、街渠Ｇと雨水貯留浸透槽６との間に流入管１０が介在し、街渠Ｇと流入管１０との深さ寸法、所謂土かぶりの確保が望まれるため、雨水貯留浸透施設５０の設置場所においては街渠Ｇと雨水貯留浸透槽６との間の深さ寸法が充分に確保されていることが好ましい。
【００３２】
また、点検孔８のうち流入マス２側の点検孔８Ａは、流入マス２とは平面視で重なっておらず、雨水貯留浸透槽６の延在するＤ方向に並べて配置されている。従って、点検孔８Ａの上部は流入マス２の内部には設けられていない。
【００３３】
以上説明したように、本実施形態の雨水貯留浸透施設７０によれば、流入マス２及び点検孔８が街渠下の地中に埋設された雨水貯留浸透槽６の延在するＤ方向に設けられているため、第一実施形態の雨水貯留浸透施設１と同様に、設置場所の一層の省スペース化を図ることができる。また、流入マス２が第一流入マス１４のみで構成され、流入管１０の他端が雨水貯留浸透槽６の上面６ａに接続されているため、雨水貯留浸透施設７０の長手寸法を縮小して設置場所の省スペース化を図ることができる。更に、雨水貯留浸透槽６の上部に貯留した空気を流入管１０及び第一流入マス１４を介し、地上に向けて簡易に抜き出すことができる。
【００３４】
また、第一から第四の実施形態の雨水貯留浸透施設１，５０，６０，７０は、雨水貯留浸透槽６を構成する下部組付部材２１及び上部組付部材２２がプラスチックからなるため、高い施工性を有しており、設置場所の形状に合わせて容易且つ自在に施工され得る。
【００３５】
以上、本発明の好ましい実施形態について詳述したが、本発明は係る特定の実施形態に限定されるものではなく、特許請求の範囲内に記載された本発明の要旨の範囲内において、種々の変形・変更が可能である。
【符号の説明】
【００３６】
１，５０，６０，７０…雨水貯留浸透施設、２…流入マス、６…雨水貯留浸透槽、６ｂ，６ｃ…側面、８，８Ａ，８Ｂ…点検孔、１０…流入管、２１…下部組付部材（枠部材）、２２…上部組付部材（枠部材）、Ｄ…方向、Ｇ…街渠
【図１】
2014196650.tif 000003
【図２】
2014196650.tif 000004
【図３】
2014196650.tif 000005
【図４】
2014196650.tif 000006
【図５】
2014196650.tif 000007